(57)【要約】【課題】従来のものは、潜行玩具の潜行および浮上をスクリューではなく体積変化による浮力の変更のみで行うものであるため、潜行および浮上の応答性がきわめて悪く、玩具としての商品価値が著しく低下する。なお、従来のものでは体積を増加させた際に内部の圧力が低下するので、スクリューの回転軸を挿通するために密閉容器の内外を連通する穴を開けると、その穴と回転軸との隙間から密閉容器内に水が吸入されるため、スクリューを設置することがきわめて難しい。【解決手段】潜水玩具の外装内にシリンダを設けると共に、このシリンダの外部からの手動操作によりシリンダ内を往復移動するピストンを装着し、このピストンの往復位置を調節することにより浮力を微調節しうるようにした。【選択図】  図２
2005270126.tif 000002
【特許請求の範囲】
【請求項１】
外部からの制御信号により遠隔操作され、水中を少なくとも潜行および浮上する潜水玩具において、この潜水玩具の外装内にシリンダを設けると共に、このシリンダの外部からの手動操作によりシリンダ内を往復移動するピストンを装着し、このピストンの往復位置を調節することにより浮力を微調節しうるようにしたことを特徴とする潜水玩具。
【請求項２】
上記手動操作する部位は外部装飾品であることを特徴とする請求項１記載の潜水玩具。
【請求項３】
外部からの制御信号により遠隔操作され、水中を航行する潜水玩具において、空気が封入されたシリンダ体と、シリンダ体の外部に連通するロッド体に連結されると共にシリンダ体の内部空間を２つに隔絶する往復移動自在のピストン体とを備え、ピストン体によって隔絶された２つの空間のうちの一方に連通する風船を設け、さらに外部からの制御信号によって上記ロッド体を進退させピストン体を往復させることにより風船を膨張および収縮させる動力源を内蔵したことを特徴とする潜水玩具。
【請求項４】
上記風船が連通される空間は、ロッド体がシリンダ体の外側に延出する側の空間であることを特徴とする請求項３記載の潜水玩具。
【請求項５】
上記風船は、潜水玩具の重心よりも前方に位置して設置されていることを特徴とする請求項３または請求項４に記載の潜水玩具。
【発明の詳細な説明】
【技術分野】
【０００１】
本発明は、ラジオコントロール等により遠隔操作される潜水玩具に関する。
【背景技術】
【０００２】
従来のこの種の潜水玩具は、モータで駆動されるスクリューを内蔵しており、このスクリューを回転させることにより、推進、潜行、および浮上を行っている。また、内蔵する電池の電力がなくなり、航行が不能になった場合には水面まで浮上するように浮力が調節されている。
【０００３】
但し、浮力が大きすぎると特に潜行時に多くの電力を消費するので浮力は必要最小限に調節する必要がある。一方、浮力を極力小さく設定すると、誤差等のため浮力が小さくなりすぎて動力停止状態で浮上しなくなるおそれが生じる。
【０００４】
なお、潜水玩具全体を密閉した容器で形成し、その密閉容器の一部を内部から押し出して全体の体積を変化させ、浮力を変えることによって潜行および浮上を行うようにした潜水玩具が知られている（例えば、特許文献１参照）。
【特許文献１】特開２００２−１０２５４７号公報（図１および図２）
【発明の開示】
【発明が解決しようとする課題】
【０００５】
上記公報に記載された構成では、潜行玩具の潜行および浮上をスクリューではなく体積変化による浮力の変更のみで行うものであるため、潜行および浮上の応答性がきわめて悪くなる。そのため、玩具としての商品価値が著しく低下する。なお、この公報に記載されたものでは体積を増加させた際に内部の圧力が低下するので、スクリューの回転軸を挿通するために密閉容器の内外を連通する穴を開けると、その穴と回転軸との隙間から密閉容器内に水が吸入されるため、スクリューを設置することがきわめて難しくなる。
【０００６】
そこで本発明は、上記の問題点に鑑み、水中での航行はスクリュー等の機構を用いることができ、かつ浮力の調節を個々の潜水玩具毎に最適な状態に調節することのできる潜水玩具を提供することを課題とする。
【課題を解決するための手段】
【０００７】
上記課題を解決するために本発明による第１の潜水玩具は、外部からの制御信号により遠隔操作され、水中を少なくとも潜行および浮上する潜水玩具において、この潜水玩具の外装内にシリンダを設けると共に、このシリンダの外部からの手動操作によりシリンダ内を往復移動するピストンを装着し、このピストンの往復位置を調節することにより浮力を微調節しうるようにしたことを特徴とする。
【０００８】
ピストンをシリンダの内部方向へと押し込んでいくとピストン内の空気が圧縮されて体積が減少する。これにより浮力が小さくなる。逆にピストンをシリンダから引き出す方向に移動させるとピストン内の空気の体積が大きくなり、浮力が増加する。そして、このような浮力の調節は手動操作によって行うことができるので、潜行玩具を用いるプレーヤーがその都度必要に応じて浮力を調節することができる。そのため、潜水玩具の浮力を常に最適な浮力に調節された状態に保つことができる。
【０００９】
なお、例えば潜望鏡のように、潜水玩具の外部には装飾品が突出して設けられている。そこで、上記手動操作する部位をこの外部装飾品とすれば、潜水玩具のデザインが損なわれることがない。
【００１０】
上記課題を解決するために本発明による第２の潜水玩具は、外部からの制御信号により遠隔操作され、水中を航行する潜水玩具において、空気が封入されたシリンダ体と、シリンダ体の外部に連通するロッド体に連結されると共にシリンダ体の内部空間を２つに隔絶する往復移動自在のピストン体とを備え、ピストン体によって隔絶された２つの空間のうちの一方に連通する風船を設け、さらに外部からの制御信号によって上記ロッド体を進退させピストン体を往復させることにより風船を膨張および収縮させる動力源を内蔵したことを特徴とする。
【００１１】
第１の潜水玩具では、シリンダ内の空気の体積を変化させたが、この第２の潜水玩具ではシリンダ体の体積は変化させず、シリンダ体内の空気を別所の風船に供給し、その風船の体積を変化させることによって浮力を調節するようにしたことを特徴とする。このようにシリンダ体ではなく風船を膨張収縮させる構成では、風船の設置位置を自由に設定することができ、設計の自由度が著しく増加する。
【００１２】
上記風船が連通される空間は、ロッド体がシリンダ体の外側に延出する側の空間とすると、その空間の圧力は外部の水の圧力と同じか、風船の弾性収縮力に起因して若干圧力が高くなる。そのため、その空間にロッド体の挿通用の穴が形成されていても、特別なシールを設けることなく、その穴から水がシリンダ体内に侵入することがない。
【００１３】
ところで、風船の大きさを適宜設定したらその後風船の大きさを変えなくても浮力が適切に保たれるが、潜行および浮上時に風船の大きさを積極的に変えてもよい。例えば、上記風船を、潜水玩具の重心よりも前方に位置して設置しておけば、浮上時に風船を大きくすると浮力が増加するばかりか、機首が上方を向く。逆に、潜行時に風船を小さくすると浮力が減少して潜行し易くなると共に、機首が下方を向き、潜行玩具の動きが多様化する。
【発明の効果】
【００１４】
以上の説明から明らかなように、本発明では、浮力の調節を個々の潜水玩具毎に最適な状態に調節することができる。
【発明を実施するための最良の形態】
【００１５】
図１および図２を参照して、１は本発明による潜水艦型の潜水玩具である。この潜水玩具１の下部には防水キャップ１１が取り付けられており、濡れていない状態でこの防水キャップ１１を取り外して充電を行う。潜水玩具１内には図示しないが、充電式の電池が内蔵されており、防水キャップ１１を取り外すと内部に充電用の端子が内蔵されている。
【００１６】
外部からの電源供給端子をその充電用の端子に接触させると充電が開始される。充電が終了するとふたたび防水キャップ１１を閉める。充電された電力によって内部の電動ポンプ１２が駆動し、潜水玩具１の下部に形成した吸水口１３から外部の水を吸入し、後部に設けた噴出口１４から水を噴出することにより潜水玩具１は前方へと航行することができる。電動ポンプ１２の作動制御は外部からのリモコン発信器から発信される制御信号によって行われる。従って、潜水玩具１にはその制御信号を受信して電動ポンプ１２の作動制御を行う制御装置が内蔵されている。また、電動ポンプ１２の回転方向を逆転すると水が吐出口１５から吐出するように切り替えられ、潜水玩具１は前進しながら潜行するように航行する。
【００１７】
ところで、この潜水玩具１のデッキ部分には密閉された１対の空気タンク２が内蔵されている。そして、両空気タンク２の間には両空気タンク２に連通するシリンダ２１が形成されている。このシリンダ２１にはピストン２２がセットされており、従って、ピストン２２が蓋となって水は空気タンク２内に侵入することはない。
【００１８】
このピストン２２にはネジ棒２４が取り付けられており、さらにそのネジ棒２４は潜水玩具１の上部に設けられた潜望鏡の模型２３に連結されている。このネジ棒２４は潜水玩具１の外殻に螺合しているので、潜望鏡模型２３を回転させるとネジ棒２４が上下し、さらにネジ棒２４と共にピストン２２が上下方向に往復する。
【００１９】
潜水玩具１の外殻には連通口２５が形成されているので、ピストン２２の上面までは水が侵入してくる。潜望鏡模型２３を左方向に回し、ピストン２２を引き上げるとピストン２２の上部の水は連通口２５から押し出され、浮力が増加する。逆に、潜望鏡模型２３を右方向に回してピストン２２を下げると連通口２５を通してシリンダ２１内に水が吸い込まれ、浮力が減少する。
【００２０】
このように、潜望鏡模型２３を回すことにより浮力が増減するので、その場で浮力を適切な大きさに調節することができる。
【００２１】
次に図３を参照して、他の形態について説明する。この形態では密閉されたシリンダ体３が設けられており、このシリンダ体３内にはピストン体５が内蔵されている。シリンダ体３の内部空間はこのピストン体５によって２つに隔絶される。本図では下方の空間が変圧部３１であり、上方の空間が恒圧部３２になる。ピストン体５には断面が円形のロッド体５０が連結されており、このロッド体５０は恒圧部３２側からシリンダ体３の外部へと延出されている。
【００２２】
ロッド体５０にはねじ部５１が連結されており、さらにねじ部５１には角柱部５２が連結されている。この角柱部５２は断面形状が正方形であり、正方形の軸受穴が形成されてた軸受５２ａに挿通されることにより、ロッド体５０およびねじ部５１の回転止めとして機能している。
【００２３】
ねじ部５１にはギヤ６が螺合している。このギヤ６はスラスト受け部６１によって上下方向に保持されており、モータによって回転するギヤ６２が回転すると、このギヤ６２に噛合しているギヤ６も回転する。ところが、ギヤ６はスラスト受け部６１によって移動が禁止されるので、その反力によってねじ部５１が図において上下方向に移動する。そのため、ピストン体５はロッド体５０と共に上下方向に移動することになる。
【００２４】
上記恒圧部には連結管４１を介して風船４が接続されている。従って、ピストン体５が上昇して恒圧部３２内の空気を連結管４１を介して押し出すと風船４が大きくなり、逆にピストン体５を下降させると風船４内の空気が恒圧部３２内に戻り、風船４は小さくなる。
【００２５】
このようにピストン体５が上下すると、変圧部３１の圧力が変化する。特にピストン体５が上昇して変圧部３１内の圧力が下がると、恒圧部３２から変圧部３１へと空気が漏れるおそれが生じる。そこで、変圧部３１の側壁に溝３１ａを設け、ピストン体５を下降させることによって溝３１ａを介して変圧部３１と恒圧部３２とが連通し、両者の圧力が一定になるようにリセットできるようにした。
【００２６】
Ｗは潜水玩具１の重心位置を表しており、上記風船４はこの重心Ｗよりも前方に位置するように取り付けた。これにより、風船４を大きくして浮力を増加させると、潜水玩具１は上昇するが、その際潜水玩具１の機首が持ち上がる姿勢になる。逆に風船４を小さくして浮力を減少させると潜水玩具１は潜行するが、その際機首が下方に向くように傾く。このように浮上と潜行時に機首が傾くので潜水玩具１の動きがよりスムーズに見える。
【００２７】
なお、本発明は上記した形態に限定されるものではなく、本発明の要旨を逸脱しない範囲内において種々の変更を加えてもかまわない。
【図面の簡単な説明】
【００２８】
【図１】本発明の一実施の形態の構成を示す図
【図２】縦断面図
【図３】他の実施の形態を示す平面図
【符号の説明】
【００２９】
１  潜水玩具
２  空気タンク
３  シリンダ体
４  風船
５  ピストン体
６  ギヤ
１３  吸水口
１４  噴出口
１５  吐出口
２１  シリンダ
２２  ピストン
３１  変圧部
３２  恒圧部
５０  ロッド体
Ｗ  重心
【図１】
2005270126.tif 000003
【図２】
2005270126.tif 000004
【図３】
2005270126.tif 000005